(57)【要約】      （修正有）【課題】単管パイプを組んで構築した架台に、太陽光発電パネルを容易に且つ確固に取付けできる太陽光発電パネル取付用クランプ金具を提供する。【解決手段】下側支承体４の基端に上側締付体５の基端を枢着して単管パイプ１を抱持するクランプ金具本体６を構成し、上側締付体５の上部に太陽光発電パネル３載置用の平坦載置部７を設け、平坦載置部７に太陽光発電パネル３を取付する取付ボルト８を設け、クランプ金具本体６に単管パイプ１を締付抱持する締付抱持機構９を設け、この締付抱持機構９の締付操作部１０をクランプ金具本体６の下方に配設し、上側締付体５の内縁に、単管パイプ１の上側外周面に点接触する点接部１１を複数設け、下側支承体４の基端と上側締付体５の基端とは、開閉回動自在にして着脱自在に枢着した構成とする。【選択図】図７
2016034210.tif 000002
【特許請求の範囲】
【請求項１】
単管パイプを組んで構築した架台に太陽光発電パネルを取付けするための太陽光発電パネル取付用クランプ金具であって、前記架台の単管パイプを支承する下側支承体の基端に、この下側支承体に支承された単管パイプを上方から抑え込む上側締付体の基端を枢着して、下側支承体に対し上側締付体が開閉回動自在なクランプ金具本体を構成し、このクランプ金具本体の前記上側締付体の上部に、太陽光発電パネルを載置可能な平坦載置部を設けると共に、この平坦載置部に太陽光発電パネルを取付可能な取付ボルトを突設し、このクランプ金具本体は、前記下側支承体の先端と前記上側締付体の開閉先端とを連結してこの下側支承体と上側締付体により前記単管パイプを締付抱持する締付抱持機構を設けると共に、この締付抱持機構は、その締付操作部を前記クランプ金具本体の下方に配設して、この締付操作部をクランプ金具本体の下方側から締付操作し得るように構成し、このクランプ金具本体の前記上側締付体の内縁に、前記下側支承体に支承された前記単管パイプの上側外周面に点接触する点接部を複数設け、このクランプ金具本体の前記下側支承体の基端と前記上側締付体の基端とは、開閉回動自在にして着脱自在に枢着した構成としたことを特徴とする太陽光発電パネル取付用クランプ金具。
【請求項２】
前記クランプ金具本体の前記上側締付体の内縁に、前記下側支承体に支承された前記単管パイプの上側外周面の前後左右四箇所に点接触する前記点接部を設けたことを特徴とする請求項１記載の太陽光発電パネル取付用クランプ金具。
【請求項３】
前記クランプ金具本体の前記上側締付体は、少なくとも基端側左右部と先端側左右部に垂下部を有する形状に形成すると共に、この基端側左右の垂下部と先端側左右の垂下部とに前記点接部を設けて、この各点接部が前記下側支承体に支承された前記単管パイプの上側外周面の前後左右四箇所に点接触する構成としたことを特徴とする請求項１，２のいずれか１項に記載の太陽光発電パネル取付用クランプ金具。
【請求項４】
前記クランプ金具本体の前記上側締付体は、金属板に絞り加工を施すことによって上部に前記平坦載置部を有する形状に一体成形した構成としたことを特徴とする請求項１〜３のいずれか１項に記載の太陽光発電パネル取付用クランプ金具。
【請求項５】
前記下側支承体若しくは前記上側締付体の基端に掛止孔を貫通形成し、この掛止孔に掛脱自在且つ回動自在に掛止可能なフック状の掛止部を前記上側締付体若しくは下側支承体の基端に設けて、この掛止孔に掛止部を掛止することにより、下側支承体の基端と上側締付体の基端とを着脱自在にして開閉回動自在に枢着した構成としたことを特徴とする請求項１〜４のいずれか１項に記載の太陽光発電パネル取付用クランプ金具。
【請求項６】
前記締付抱持機構は、前記クランプ金具本体の下側支承体の先端と上側締付体の開閉先端とを締付ボルトで連結して、この締付ボルト若しくは締付ボルトに螺着した締付ナットの締付操作により下側支承体と上側締付体とが前記単管パイプを締付抱持する構成とすると共に、この締付ボルトのボルト頭部若しくは前記締付ナットを、前記締付操作部として下側支承体の下方に配設したことを特徴とする請求項１〜５のいずれか１項に記載の太陽光発電パネル取付用クランプ金具。
【発明の詳細な説明】
【技術分野】
【０００１】
本発明は、単管パイプを組んで構築した架台に太陽光発電パネルを取付けするための太陽光発電パネル取付用クランプ金具に関するものである。
【背景技術】
【０００２】
近年、多数の太陽光発電パネルが架台上に設けられたメガソーラーと称される大規模な発電施設の建設が増えてきている。
【０００３】
このような施設に用いられる太陽光発電パネル用架台としては、金属製の専用フレームを組んで構築されるものが一般的であるが、この架台は非常に高価であった。
【０００４】
そこで、従来、架設足場などの構築に用いられる単管パイプを用いて架台を安価に構築しようという提案もなされている（例えば、特許文献１参照）。
【先行技術文献】
【特許文献】
【０００５】
【特許文献１】実用新案登録第３１８４３２２号公報
【発明の概要】
【発明が解決しようとする課題】
【０００６】
上記特許文献１のように架台を単管パイプで構築すると、大幅に設置コストが下がり、また、短期間で簡単に施工を完了できるので工期の短縮化が図れて非常に実用的である。
【０００７】
しかしながら、単管パイプで構築された架台に対して容易に且つ確実に太陽光発電パネルを設置できる専用の取付金具はこれまでになく、汎用のボルト・ナットなどを用いて固定されているという現状であった。
【０００８】
本発明は、このような現状に鑑み、単管パイプを組んで構築した架台の単管パイプに太陽光発電パネルを容易に且つ確固に取付けできる太陽光発電パネル取付用クランプ金具を提供するものである。
【課題を解決するための手段】
【０００９】
添付図面を参照して本発明の要旨を説明する。
【００１０】
単管パイプ１を組んで構築した架台２に太陽光発電パネル３を取付けするための太陽光発電パネル取付用クランプ金具であって、前記架台２の単管パイプ１を支承する下側支承体４の基端に、この下側支承体４に支承された単管パイプ１を上方から抑え込む上側締付体５の基端を枢着して、下側支承体４に対し上側締付体５が開閉回動自在なクランプ金具本体６を構成し、このクランプ金具本体６の前記上側締付体５の上部に、太陽光発電パネル３を載置可能な平坦載置部７を設けると共に、この平坦載置部７に太陽光発電パネル３を取付可能な取付ボルト８を突設し、このクランプ金具本体６は、前記下側支承体４の先端と前記上側締付体５の開閉先端とを連結してこの下側支承体４と上側締付体５により前記単管パイプ１を締付抱持する締付抱持機構９を設けると共に、この締付抱持機構９は、その締付操作部10を前記クランプ金具本体６の下方に配設して、この締付操作部10をクランプ金具本体６の下方側から締付操作し得るように構成し、このクランプ金具本体６の前記上側締付体５の内縁に、前記下側支承体４に支承された前記単管パイプ１の上側外周面に点接触する点接部11を複数設け、このクランプ金具本体６の前記下側支承体４の基端と前記上側締付体５の基端とは、開閉回動自在にして着脱自在に枢着した構成としたことを特徴とする太陽光発電パネル取付用クランプ金具に係るものである。
【００１１】
また、前記クランプ金具本体６の前記上側締付体５の内縁に、前記下側支承体４に支承された前記単管パイプ１の上側外周面の前後左右四箇所に点接触する前記点接部11を設けたことを特徴とする請求項１記載の太陽光発電パネル取付用クランプ金具に係るものである。
【００１２】
また、前記クランプ金具本体６の前記上側締付体５は、少なくとも基端側左右部と先端側左右部に垂下部12を有する形状に形成すると共に、この基端側左右の垂下部12と先端側左右の垂下部12とに前記点接部11を設けて、この各点接部11が前記下側支承体４に支承された前記単管パイプ１の上側外周面の前後左右四箇所に点接触する構成としたことを特徴とする請求項１，２のいずれか１項に記載の太陽光発電パネル取付用クランプ金具に係るものである。
【００１３】
また、前記クランプ金具本体６の前記上側締付体５は、金属板に絞り加工を施すことによって上部に前記平坦載置部７を有する形状に一体成形した構成としたことを特徴とする請求項１〜３のいずれか１項に記載の太陽光発電パネル取付用クランプ金具に係るものである。
【００１４】
また、前記下側支承体４若しくは前記上側締付体５の基端に掛止孔14を貫通形成し、この掛止孔14に掛脱自在且つ回動自在に掛止可能なフック状の掛止部15を前記上側締付体５若しくは下側支承体４の基端に設けて、この掛止孔14に掛止部15を掛止することにより、下側支承体４の基端と上側締付体５の基端とを着脱自在にして開閉回動自在に枢着した構成としたことを特徴とする請求項１〜４のいずれか１項に記載の太陽光発電パネル取付用クランプ金具に係るものである。
【００１５】
また、前記締付抱持機構９は、前記クランプ金具本体６の下側支承体４の先端と上側締付体５の開閉先端とを締付ボルト16で連結して、この締付ボルト16若しくは締付ボルト16に螺着した締付ナットの締付操作により下側支承体４と上側締付体５とが前記単管パイプ１を締付抱持する構成とすると共に、この締付ボルト16のボルト頭部17若しくは前記締付ナットを、前記締付操作部10として下側支承体４の下方に配設したことを特徴とする請求項１〜５のいずれか１項に記載の太陽光発電パネル取付用クランプ金具に係るものである。
【発明の効果】
【００１６】
本発明は上述のように構成したから、単管パイプを組んで構築した安価な架台の前記単管パイプに対して容易に締付抱持固定でき、この際、クランプ金具本体の上側締付体の内縁に設けた点接部が下側支承体に支承された単管パイプの上側外周面に点接触するため、強い締付固定力が発揮されて単管パイプに確固に固定でき、また、架台に固定した本発明品の平坦載置部に、太陽光発電パネルを載置して取付ボルトにより容易に取付けでき、しかも、クランプ金具本体の下方に締付抱持機構の締付操作部を配設したから、降雪地域などで用いられる高さのある架台に対しても、クランプ金具本体の下方側、即ち架台の下方側から作業者が容易に締付操作部の締付操作を行って固定でき、その上本発明は、クランプ金具本体の下側支承体の基端と上側締付体の基端とを、開閉回動自在にして着脱自在に枢着したため、太陽光発電パネルは、その受光面を下に向けた状態で梱包され搬送されているが、梱包を解いた下向きのままの太陽光発電パネルの下部の所定箇所に、予め下側支承体を取り外しておいたクランプ金具本体の上側締付体を取付ボルトにより取付けておくことができ、これにより上側締付体付の太陽光発電パネルを上下反転させて架台の単管パイプの取付箇所に上側締付体を介して仮置きすることができ、この仮置き状態で下から下側支承体を上側支承体に取付けて締付抱持機構を締付操作することにより単管パイプにクランプ金具本体を容易に締付抱持固定可能となるなど、極めて実用性に優れた太陽光発電パネル取付用クランプ金具となる。
【００１７】
また、請求項２記載の発明においては、単管パイプの上側外周面の前後左右四箇所に点接触する点接部により、強い締付固定力（接点圧力）が発揮されてクランプ金具本体を単管パイプに極めて強固に固定できる一層実用性に優れた構成の太陽光発電パネル取付用クランプ金具となる。
【００１８】
また、請求項３記載の発明においては、前記作用・効果を確実に発揮する点接部を有する上側締付体を簡易構成にして容易に設計実現可能となる一層実用性に優れた構成の太陽光発電パネル取付用クランプ金具となる。
【００１９】
また、請求項４記載の発明においては、平坦載置部を具備する高強度な上側締付体を既存の金属絞り加工を利用した一体成形により簡易に設計実現可能となる一層実用性に優れた構成の太陽光発電パネル取付用クランプ金具となる。
【００２０】
また、請求項５記載の発明においては、下側支承体と上側締付体とが着脱自在にして開閉回動自在なクランプ金具本体を簡易構成にして容易に設計実現可能となる一層実用性に優れた構成の太陽光発電パネル取付用クランプ金具となる。
【００２１】
また、請求項６記載の発明においては、クランプ金具本体の下方側から締付操作部を締付操作できる締付抱持機構を、簡易構成にして容易に設計実現可能となる一層実用性に優れた構成の太陽光発電パネル取付用クランプ金具となる。
【図面の簡単な説明】
【００２２】
【図１】本実施例を示す斜視図である。
【図２】本実施例を示す分解斜視図である。
【図３】本実施例を示す側断面図である。
【図４】本実施例を示す正断面図である。
【図５】本実施例の使用状態を示す概略説明斜視図である。
【図６】本実施例の使用状態を示す概略説明側面図である。
【図７】本実施例を用いた、太陽光発電パネルの架台への固定手順を示す説明側面図である。
【図８】本実施例を用いて太陽光発電パネルを架台に固定した状態を示す説明側面図である。
【図９】本実施例のクランプ金具本体の単管パイプへの締付抱持固定状態（点接部による四点接触状態）を示す説明斜視図である。
【図１０】本実施例の使用状態における、太陽光発電パネルの他の取付構造を示す説明側面図である。
【図１１】本実施例の他の使用例を示す説明側面図である。
【発明を実施するための形態】
【００２３】
好適と考える本発明の実施形態を、図面に基づいて本発明の作用を示して簡単に説明する。
【００２４】
単管パイプ１を組んで構築した架台２の例えば上部の前記単管パイプ１に、クランプ金具本体６を介して本発明の太陽光発電パネル取付用クランプ金具を固定する。
【００２５】
具体的には、例えば、クランプ金具本体６内に、その上側締付体５を下側支承体４に対し開放することでこの開放部からクランプ金具本体６内に単管パイプ１を配設し、締付抱持機構９により前記下側支承体４の先端と前記上側締付体５の開閉先端とを連結してこの下側支承体４と上側締付体５により前記単管パイプ１を締付抱持すると、架台２の単管パイプ１にクランプ金具本体６が締付固定される（クランプ金具本体６を介して架台２の単管パイプ１に本発明の太陽光発電パネル取付用クランプ金具が固定される。）。
【００２６】
また、この際、このクランプ金具本体６の上側締付体５の内縁に設けた点接部11が、下側支承体４に支承された単管パイプ１の上側外周面に点接触することになる。そのため、この点接部11の単管パイプ１外周面への接点圧力が高まり、強い締付固定力が発揮されてクランプ金具本体６が単管パイプ１に対し確固に固定することになる。
【００２７】
また、本発明のクランプ金具本体６は、下側支承体４の基端を上側締付体５の基端から取り外して下側支承体４と上側締付体５とを分離させることができるので、分離させた下側支承体４と上側締付体５を単管パイプ１の上下に配して夫々の基端同士を取り付け、締付抱持機構９により下側支承体４の先端と上側締付体５の開閉先端とを連結し単管パイプ１に締付抱持固定するようにしても良い。
【００２８】
また、この際、クランプ金具本体６の下方に配設した締付抱持機構９の締付操作部10は、クランプ金具本体６の下方側、即ち架台２の下方側から締付操作することができる。
【００２９】
従って、特に降雪地域などは、太陽光発電パネル３の受光面が雪で簡単に埋まってしまうことがないように高さのある架台２を構築する必要があり、このような高さのある架台２が取付対象の場合、締付操作部10がクランプ金具本体６の上方側にあると、作業者が締付作業を行いにくくなってしまうが、本発明によれば、クランプ金具本体６の下方に配設した締付抱持機構９の締付操作部10を、架台２の下方側に作業者が入り込んでクランプ金具本体６の下方側から容易に締付操作することができる。
【００３０】
このようにして架台２に固定した本発明品の上側締付体５上部の平坦載置部７に、太陽光発電パネル３を載置し、この太陽光発電パネル３を平坦載置部７に設けた取付ボルト８により取付けると、本発明品を介して架台２に太陽光発電パネル３が取り付けられる。
【００３１】
また、太陽光発電パネル３は、一般的にはその受光面を下に向けた状態で梱包され搬送されているが、クランプ金具本体６の下側支承体４と上側締付体５とを着脱できる本発明によれば、予め下側支承体４を取り外しておいたクランプ金具本体６の上側締付体５を、梱包を解いて下向きとなっている太陽光発電パネル３の下部の所定箇所に取付ボルト８により取付けておくと、太陽光発電パネル３を上下反転させて架台２の単管パイプ１の取付箇所に前記上側締付体５を介して仮置きすることが可能となり、この仮置き状態で単管パイプ１の下から下側支承体４を上側支承体５に取付けて前記締付抱持機構９を締付操作することにより、単管パイプ１にクランプ金具本体６を容易に締付抱持固定することが可能となる。
【実施例】
【００３２】
本発明の具体的な実施例について図面に基づいて説明する。
【００３３】
先ず、図５，図６に示した架台２について説明すると、多数の単管パイプ１を直交クランプ20や自在クランプ22を用いて縦・横・斜めに組んで高さのある枠状体に構築し、更に架台２上部を傾斜状に形成して、この傾斜上部に太陽光発電パネル３を斜設状態に設置し得るように構成したものである。
【００３４】
本実施例は、このような単管パイプ１を組んで構築した架台２に太陽光発電パネル３を取付けするための太陽光発電パネル取付用クランプ金具であって、架台２の単管パイプ１に締付抱持固定可能なクランプ金具本体６の上部に、太陽光発電パネル３を載置可能な平坦載置部７を設けると共に、この平坦載置部７に太陽光発電パネル３を取付可能な取付ボルト８を突設した構成としている。
【００３５】
クランプ金具本体６は、図１に示すように、単管パイプ１外周面の下側を抱持する下側支承体４と、単管パイプ１外周面の上側を抱持する上側締付体５とから成り、下側支承体４の基端に上側締付体５の基端を枢着して、下側支承体４に対し上側締付体５が開閉回動自在な構成とし、この下側支承体４に抱持支承された単管パイプ１を上側締付体５で上方から抑え込んで抱持する構成としている。
【００３６】
また、下側支承体４について説明すると、図２，図３に示すように、帯状の金属板の長手方向の途中部を下方へ半円弧状に折曲形成して、この円弧板部を帯状金属板の長さ方向と直交するように配した単管パイプ１の下側外周面を抱持支承可能な抱持板部22とし、更に金属板の先端部を水平板状に形成して、この水平先端板部を後述する締付ボルト16取付用のボルト通し孔19を有するボルト取付板部23とすると共に、金属板の基端部を上方に凸湾曲するフック形状に折曲形成して、このフック状基端板部を後述する掛止孔14に掛止可能な掛止部15としている。
【００３７】
また、上側締付体５について説明すると、帯状の金属板に絞り加工を施すことにより、この金属板の長手方向の両側縁が略直角下方に垂下折曲する正断面コ字状（図４参照）であって、その両側垂下部12が側面視略コ字状に表出する形状（図１〜図３参照）に形成すると共に、上部途中部が平面視方形状の平坦面となる形状に形成して、この上部平坦面を太陽光発電パネル３の外周縁部の金属フレーム部24を載置可能な前記平坦載置部７としている。このように絞り加工で上側締付体５を形成することにより、容易に且つ加工くずを出さずに平坦載置部７と後述の点接部11とを有する高強度な一体物を構成可能となる。
【００３８】
また、この平坦載置部７には、その中心部から上方に立設突設するようにして太陽光発電パネル３を取付可能な前記取付ボルト８を回り止め状態に固定している。
【００３９】
また、この上側締付体５を構成する金属板の先端部を水平板状に形成して、この水平先端板部を後述する締付ボルト16螺着用の螺合部18を有するボルト支持板部25とすると共に、金属板の基端部には、前記掛止部15を掛止可能な横長方形状の掛止孔14を貫通形成している。
【００４０】
また、螺合部18は、ナット18を採用し、このナット18をボルト支持板部25の上面に回り止め状態に固定すると共に、このナット18の雌螺子孔がボルト支持板部25の下面から露出するように設けている。
【００４１】
このように構成した本実施例の下側支承体４と上側締付体５との枢着構造は、前記掛止孔14に前記フック状の掛止部15を挿入して掛止することにより、下側支承体４の基端と上側締付体５の基端とを着脱（掛脱）自在にして開閉回動自在に枢着した構造としている。尚、下側支承体４の基端に掛止孔14を設け、上側締付体５の基端に掛止部15を設ける枢着構造を採用しても良い。
【００４２】
また、本実施例のクランプ金具本体６は、前記下側支承体４の先端と前記上側締付体５の開閉先端とを連結してこの下側支承体４と上側締付体５により前記単管パイプ１を締付抱持する締付抱持機構９を設けると共に、この締付抱持機構９は、その締付操作部10を前記クランプ金具本体６の下方に配設して、この締付操作部10をクランプ金具本体６の下方側から締付操作し得るように構成している。
【００４３】
締付抱持機構９は、前記ボルト取付板部23のボルト通し孔19に、六角ボルトを採用した締付ボルト16を、そのボルト頭部17を下にしてボルト先端をボルト取付板部23の下方から貫通し、このボルト通し孔19から上方に突出する締付ボルト16のボルト先端を、前記ボルト支持板部25の螺合部18（ナット18）に螺着し、ボルト取付板部23の下方に存する締付ボルト16のボルト頭部17を前記締付操作部10としている。図中符号26は座金である。
【００４４】
そして、この締付操作部10を締付回動することにより、下側支承体４と上側締付体５とを接近移動させてクランプ金具本体６内に配した単管パイプ１を締付抱持固定する構成としている。
【００４５】
尚、クランプ金具本体６の前記上側締付体５の開閉先端に締付ボルト16を締付回動不能状態に設けると共に、この締付ボルト16は、そのボルト先端を下向きにして配設し、この締付ボルト16のボルト先端を前記下側支承体４の先端に設けたボルト通し孔に貫通してこの締付ボルト16のボルト先端に締付ナットを螺着し、この締付ナットを前記締付操作部10として締付回動することにより単管パイプ１を下側支承体４と上側締付体５とで締付抱持する締付抱持機構９を構成しても良い。
【００４６】
また、本実施例では、前記クランプ金具本体６の前記上側締付体５の内縁に、前記下側支承体４に支承された前記単管パイプ１の上側外周面に点接触する点接部11を複数設けている。
【００４７】
具体的には、前記クランプ金具本体６の前記上側締付体５の内縁に、前記下側支承体４に支承された前記単管パイプ１の上側外周面の前後左右四箇所に点接触する前記点接部11を設けている。
【００４８】
更に詳しくは、上側締付体５の左右側面部に略コ字状に表出する前記各垂下部12は、その基端側部位と先端側部位とが、夫々の対向方向に向かって凸湾曲する湾曲縁13（単管パイプ１外周面の凸湾曲方向と逆方向に凸湾曲する湾曲縁13）に形成し（各垂下部12の基端側部位と先端側部位とが前記絞り加工後に前記湾曲縁13となって表れるように、この上側締付体５を構成する前記金属板の形状を設定構成し）、この四箇所の各湾曲縁13の一部が前記下側支承体４に支承された前記単管パイプ１の上側外周面の前後左右四箇所に点接触することになる構成としている。
【００４９】
即ち、四箇所の各湾曲縁13の単管パイプ１外周面に接触する部位を前記点接部11とし、前記締付抱持機構９の締付によるこの四箇所の点接部11の接点圧力の高まりによってクランプ金具本体６が単管パイプ１に強固に取付けられる構成としている。
【００５０】
次に、本実施例を用いた太陽光発電パネル３の架台２への取付方法を説明する。
【００５１】
例えば、予め、クランプ金具本体６の下側支承体４と上側締付体５とを分離しておく。
【００５２】
太陽光発電パネル３は、一般的にはその受光面を下に向けた状態で梱包され搬送されているので、現場で梱包を解くと、下向きの太陽光発電パネル３が露出する。
【００５３】
この下向きのまま露出している太陽光発電パネル３の下部の所定の複数箇所に、図７（ａ）に示すように、分離しておいたクランプ金具本体６の上側締付体５を取付ボルト８により取付ける。具体的には、例えば、図５〜図８では、太陽光発電パネル３外周縁部の金属フレーム部24の所定の複数箇所に図示省略のボルト孔を形成し、このボルト孔に上下反転させた上側締付体５の取付ボルト８を挿通して金属フレーム部24の下面に前記平坦載置部７を当接（載置）させ、取付ボルト８先端に螺着したナット27を締付することで太陽光発電パネル３に上側締付体５を取り付けた場合を示している。
【００５４】
次に、図７（ｂ）に示すように、太陽光発電パネル３を上下反転させて架台２の単管パイプ１の取付箇所に前記上側締付体５を介して仮置きし、この仮置き状態で単管パイプ１の下から下側支承体４を上側支承体５に取付けて前記締付抱持機構９を締付操作することにより単管パイプ１にクランプ金具本体６を締付抱持固定する（図８参照）。
【００５５】
この際、クランプ金具本体６の下方に配設した締付抱持機構９の締付操作部10（ボルト頭部17）は、クランプ金具本体６の下方側、即ち架台２の下方側から締付操作することができる。
【００５６】
これにより、特に降雪地域などは、太陽光発電パネル３の受光面が雪で簡単に埋まってしまうことがないように架台２に高さがあるが、このような高さのある架台２が取付対象であっても、クランプ金具本体６の下方に配設した締付抱持機構９の締付操作部10を、架台２の下方側に作業者が入り込んでクランプ金具本体６の下方側から容易に締付操作することができる。
【００５７】
尚、図１０は、太陽光発電パネル３の他の取付方法を示している。
【００５８】
具体的には、前記平坦載置部７に載置する平坦載置部７より載置面積が大きい載置板28と、前記取付ボルト８に螺着したナット27の締付操作により前記載置板28を介して平坦載置部７に載置した二枚の太陽光発電パネル３の夫々の外周縁部（金属フレーム部24）を上方から押え込み固定する押え込み金具29との二部品を追加使用して太陽光発電パネル３を取付けた場合であって、このような取付方法を採用しても良い。
【００５９】
また、図１１は、本実施例の他の使用例を示している。
【００６０】
具体的には、適宜な支柱30の側面に固定したアングル材31の水平部に、上下反転させた本実施例を前記取付ボルト８で固定し、このようにしてアングル材31に固定した本実施例のクランプ金具本体６に単管パイプ１を締付抱持固定することにより、支柱30に対し単管パイプ１を直交状態に固定した場合を示している。即ち、本実施例は、このような使用方法も可能であり、架台２の構築等にも用いることができる。
【００６１】
尚、本発明は、本実施例に限られるものではなく、各構成要件の具体的構成は適宜設計し得るものである。
【符号の説明】
【００６２】
１  単管パイプ
２  架台
３  太陽光発電パネル
４  下側支承体
５  上側締付体
６  クランプ金具本体
７  平坦載置部
８  取付ボルト
９  締付抱持機構
10  締付操作部
11  点接部
12  垂下部
14  掛止孔
15  掛止部
16  締付ボルト
17  ボルト頭部
【図１】
2016034210.tif 000003
【図２】
2016034210.tif 000004
【図３】
2016034210.tif 000005
【図４】
2016034210.tif 000006
【図５】
2016034210.tif 000007
【図６】
2016034210.tif 000008
【図７】
2016034210.tif 000009
【図８】
2016034210.tif 000010
【図９】
2016034210.tif 000011
【図１０】
2016034210.tif 000012
【図１１】
2016034210.tif 000013